(57)【要約】【課題】高濃度画像の連続の発熱に伴う温度上昇を抑制することができるとともに、画像データに対する忠実な濃度再現を行うことができる露光装置及びこれを備える画像形成装置を提供すること。【解決手段】発光素子アレイ２０を備える露光装置であって、発光素子アレイ２０は複数の発光素子がライン状に配列され、１本のＣｏｌｕｍｎ電極とｍ本のＲｏｗ電極に対応するｍ個の発光素子を１つのグループとしたｎ個のグループに分けられ、各Ｒｏｗ電極を順次選択状態とすることで各グループの発光素子が並行して時分割駆動され、各Ｒｏｗ電極を選択状態とする順番を、１本以上の任意の本数のＲｏｗ電極置きにランダムな順序として、発光素子アレイ２０において隣接して配列される発光素子が時間的に連続したタイミングで発光状態とされないようにする。【選択図】図６Ｂ
2008185732.tif 000002
【特許請求の範囲】
【請求項１】
発光素子を有する複数の画素がライン状に配列された発光素子アレイを備えて、画像信号に応じた露光を行う露光装置であって、
前記複数の画素は、隣接して配列される所定数の前記画素毎の複数のグループに分けられ、
前記各グループにおける前記所定数の画素は、並行して時分割駆動され、
前記各グループにおいて隣接して配列される前記画素の各々が選択状態とされて時分割駆動されるタイミングは、時間的に連続しないタイミングに設定されることを特徴とする露光装置。
【請求項２】
前記各グループにおける前記所定数の画素の各々は、１つ以上の前記画素置きに時分割駆動されることを特徴とする請求項１記載の露光装置。
【請求項３】
前記各グループにおける前記所定数の画素の各々は、１つ以上の一定数の前記画素置きに時分割駆動されることを特徴とする請求項１記載の露光装置。
【請求項４】
前記露光装置は、前記各グループに対応して設けられ、前記各画素の前記発光素子を駆動するための、前記画像信号に基づく駆動信号が供給される複数の駆動信号線と、
前記各グループの前記所定数の画素の各々に対応して設けられ、該各画素を所定のタイミングで選択状態とする選択信号が供給されて、前記各画素を時分割駆動する複数の選択信号線と、
を備えることを特徴とする請求項１記載の露光装置。
【請求項５】
前記選択信号は、前記複数の選択信号線の各々に、１本以上の前記選択信号線置きに順次供給されることを特徴とする請求項４記載の露光装置。
【請求項６】
前記選択信号は、前記複数の選択信号線の各々に、１本以上の一定数の選択信号線置きに順次供給されることを特徴とする請求項４記載の露光装置。
【請求項７】
前記露光装置は、更に、前記各グループの前記所定数の画素の各々に対応して設けられ、所定の電源電圧が供給される複数の電源線を備え、
前記各画素は、少なくとも、
前記発光素子と、
電流路の一端が前記発光素子に接続され、電流路の他端が前記電源線に接続される駆動トランジスタと、
制御端子が前記選択信号線に接続され、電流路の一端が前記駆動トランジスタの制御端子に接続され、電流路の他端が前記駆動信号線に接続された選択トランジスタと、
一端が前記駆動トランジスタの制御端子に接続され、他端が前記駆動トランジスタの電流路の一端に接続された保持コンデンサと、
を備えることを特徴とする請求項４乃至６の何れかに記載の露光装置。
【請求項８】
前記発光素子は有機ＥＬ素子であることを特徴とする請求項１乃至７の何れかに記載の露光装置。
【請求項９】
感光体ドラムと帯電器と露光器と現像器とを備えて、画像信号に応じた印刷を行う画像形成装置において、
前記露光器は、発光素子を有する複数の画素がライン状に配列されて、前記画像信号に応じ露光を行う発光素子アレイを備え、
前記複数の画素は、隣接して配列される所定数の前記画素毎の複数のグループに分けられ、
前記各グループにおける前記所定数の画素は、並行して時分割駆動され、
前記各グループにおいて隣接して配列される２個の前記画素の各々が選択状態とされて時分割駆動されるタイミングは、時間的に連続しないタイミングに設定されることを特徴とする画像形成装置。
【請求項１０】
前記各グループにおける前記所定数の画素の各々は、１ライン露光期間内に、１つ以上の前記画素置きに時分割駆動されることを特徴とする請求項９記載の画像形成装置。
【請求項１１】
前記各グループにおける前記所定数の画素の各々は、１ライン露光期間内に、１つ以上の一定数の前記画素置きに時分割駆動されることを特徴とする請求項９記載の画像形成装置。
【請求項１２】
前記露光装置は、前記各グループに対応して設けられ、前記各画素の前記発光素子を駆動するための、前記画像信号に基づく駆動信号が供給される複数の駆動信号線と、
前記各グループの前記所定数の画素の各々に対応して設けられ、該各画素を所定のタイミングで選択状態とする選択信号が供給されて、前記各画素を時分割駆動する複数の選択信号線と、
を備えることを特徴とする請求項９記載の画像形成装置。
【請求項１３】
前記選択信号は、前記複数の選択信号線の各々に、１本以上の前記選択信号線置きに順次供給されることを特徴とする請求項１２記載の画像形成装置。
【請求項１４】
前記選択信号は、前記複数の選択信号線の各々に、１本以上の一定数の選択信号線置きに順次供給されることを特徴とする請求項１２記載の画像形成装置。
【請求項１５】
前記露光装置は、更に、前記各グループの前記所定数の画素の各々に対応して設けられ、所定の電源電圧が供給される複数の電源線を備え、
前記各画素は、少なくとも、
前記発光素子と、
電流路の一端が前記発光素子に接続され、電流路の他端が前記電源線に接続される駆動トランジスタと、
制御端子が前記選択信号線に接続され、電流路の一端が前記駆動トランジスタの制御端子に接続され、電流路の他端が前記駆動信号線に接続された選択トランジスタと、
一端が前記駆動トランジスタの制御端子に接続され、他端が前記駆動トランジスタの電流路の一端に接続された保持コンデンサと、
を備えることを特徴とする請求項１２乃至１４の何れかに記載の画像形成装置。
【請求項１６】
前記発光素子は有機ＥＬ素子であることを特徴とする請求項９乃至１５の何れかに記載の画像形成装置。
【発明の詳細な説明】
【技術分野】
【０００１】
本発明は、電子写真方式等の画像形成装置に用いられる露光装置、及びそれを用いた画像形成装置に関するものである。
【背景技術】
【０００２】
電子写真方式の画像形成装置（印刷装置）においては、感光体ドラムに画像データに応じた光を照射して露光を行う露光装置を有し、この露光装置において、ＬＥＤ等の発光素子を光源としたものがある。これらに関連する技術として、例えば特許文献１には、ＬＥＤを光源とする露光ヘッド（ＬＥＤプリントヘッド）を具備する画像形成装置が開示されている。
【０００３】
ＬＥＤプリントヘッドにおいては、多数のＬＥＤを一斉に発光させる構成であるため、画像データによっては、高濃度画素に対応して高輝度で発光するＬＥＤが連続して、大きな電流が流れたり、これによってＬＥＤの温度が上昇して、画像形成装置の温度が上昇したり、温度上昇によるＬＥＤの特性劣化が進行したりする。
【０００４】
前記特許文献１に開示されている画像形成装置は、ＬＥＤの配列方向に所定レベル以上の高濃度画素が連続しているか否かを判定する判定回路を具備する。そして、前記判定回路によって、ＬＥＤの配列方向に所定レベル以上の高濃度画素が連続していると判定された場合には、ＬＥＤの発光時間を低減させてＬＥＤの休止時間を長くとることによって、画像形成装置の消費電流を低減するとともに、発熱量の上昇を抑えることができる。
【特許文献１】特開２００４−１４８５５７号公報
【発明の開示】
【発明が解決しようとする課題】
【０００５】
しかしながら、前記特許文献１に開示されている技術では、高濃度画素が連続した場合にＬＥＤの発光時間あるいは発光エネルギーを抑えるように構成されているため、発熱量を抑制することはできるが、画像データに対する忠実な濃度再現が難しいという問題があった。
【０００６】
本発明は、前記の事情に鑑みてなされたもので、高濃度画像の連続に伴う温度上昇を抑制することができるとともに、画像データに対する忠実な濃度再現を行うことができる露光装置及びこれを備える画像形成装置を提供することを目的とする。
【課題を解決するための手段】
【０００７】
請求項１に記載の発明は、発光素子を有する複数の画素がライン状に配列された発光素子アレイを備えて、画像信号に応じた露光を行う露光装置であって、前記複数の画素は、隣接して配列される所定数の前記画素毎の複数のグループに分けられ、前記各グループにおける前記所定数の画素は、並行して時分割駆動され、前記各グループにおいて隣接して配列される前記画素の各々が選択状態とされて時分割駆動されるタイミングは、時間的に連続しないタイミングに設定されることを特徴とする。
【０００８】
請求項２に記載の発明は、請求項１記載の露光装置において、前記各グループにおける前記所定数の画素の各々は、１つ以上の前記画素置きに時分割駆動されることを特徴とする。
【０００９】
請求項３に記載の発明は、請求項１記載の露光装置において、前記各グループにおける前記所定数の画素の各々は、１つ以上の一定数の前記画素置きに時分割駆動されることを特徴とする。
【００１０】
請求項４に記載の発明は、請求項１記載の露光装置において、前記露光装置は、前記各グループに対応して設けられ、前記各画素の前記発光素子を駆動するための、前記画像信号に基づく駆動信号が供給される複数の駆動信号線と、前記各グループの前記所定数の画素の各々に対応して設けられ、該各画素を所定のタイミングで選択状態とする選択信号が供給されて、前記各画素を時分割駆動する複数の選択信号線と、を備えることを特徴とする。
【００１１】
請求項５に記載の発明は、請求項４記載の露光装置において、前記選択信号は、前記複数の選択信号線の各々に、１本以上の前記選択信号線置きに順次供給されることを特徴とする。
【００１２】
請求項６に記載の発明は、請求項４記載の露光装置において、前記選択信号は、前記複数の選択信号線の各々に、１本以上の一定数の選択信号線置きに順次供給されることを特徴とする。
【００１３】
請求項７に記載の発明は、請求項４乃至６の何れかに記載の露光装置において、前記露光装置は、更に、前記各グループの前記所定数の画素の各々に対応して設けられ、所定の電源電圧が供給される複数の電源線を備え、前記各画素は、少なくとも、前記発光素子と、電流路の一端が前記発光素子に接続され、電流路の他端が前記電源線に接続される駆動トランジスタと、制御端子が前記選択信号線に接続され、電流路の一端が前記駆動トランジスタの制御端子に接続され、電流路の他端が前記駆動信号線に接続された選択トランジスタと、一端が前記駆動トランジスタの制御端子に接続され、他端が前記駆動トランジスタの電流路の一端に接続された保持コンデンサと、を備えることを特徴とする。
【００１４】
請求項８に記載の発明は、請求項１乃至７の何れかに記載の露光装置において、前記発光素子は有機ＥＬ素子であることを特徴とする。
【００１５】
請求項９に記載の発明は、感光体ドラムと帯電器と露光器と現像器とを備えて、画像信号に応じた印刷を行う画像形成装置において、前記露光器は、発光素子を有する複数の画素がライン状に配列されて、前記画像信号に応じ露光を行う発光素子アレイを備え、前記複数の画素は、隣接して配列される所定数の前記画素毎の複数のグループに分けられ、前記各グループにおける前記所定数の画素は、並行して時分割駆動され、前記各グループにおいて隣接して配列される２個の前記画素の各々が選択状態とされて時分割駆動されるタイミングは、時間的に連続しないタイミングに設定されることを特徴とする画像形成装置。
【００１６】
請求項１０に記載の発明は、請求項９記載の画像形成装置において、前記各グループにおける前記所定数の画素の各々は、１ライン露光期間内に、１つ以上の前記画素置きに時分割駆動されることを特徴とする。
【００１７】
請求項１１に記載の発明は、請求項９記載の画像形成装置において、前記各グループにおける前記所定数の画素の各々は、１ライン露光期間内に、１つ以上の一定数の前記画素置きに時分割駆動されることを特徴とする。
【００１８】
請求項１２に記載の発明は、請求項９記載の画像形成装置において、前記露光装置は、前記各グループに対応して設けられ、前記各画素の前記発光素子を駆動するための、前記画像信号に基づく駆動信号が供給される複数の駆動信号線と、前記各グループの前記所定数の画素の各々に対応して設けられ、該各画素を所定のタイミングで選択状態とする選択信号が供給されて、前記各画素を時分割駆動する複数の選択信号線と、を備えることを特徴とする。
【００１９】
請求項１３に記載の発明は、請求項１２記載の画像形成装置において、前記選択信号は、前記複数の選択信号線の各々に、１本以上の前記選択信号線置きに順次供給されることを特徴とする。
【００２０】
請求項１４に記載の発明は、請求項１２記載の画像形成装置において、前記選択信号は、前記複数の選択信号線の各々に、１本以上の一定数の選択信号線置きに順次供給されることを特徴とする。
【００２１】
請求項１５に記載の発明は、請求項１２乃至１４の何れかに記載の画像形成装置において、前記露光装置は、更に、前記各グループの前記所定数の画素の各々に対応して設けられ、所定の電源電圧が供給される複数の電源線を備え、前記各画素は、少なくとも、前記発光素子と、電流路の一端が前記発光素子に接続され、電流路の他端が前記電源線に接続される駆動トランジスタと、制御端子が前記選択信号線に接続され、電流路の一端が前記駆動トランジスタの制御端子に接続され、電流路の他端が前記駆動信号線に接続された選択トランジスタと、一端が前記駆動トランジスタの制御端子に接続され、他端が前記駆動トランジスタの電流路の一端に接続された保持コンデンサと、を備えることを特徴とする。
【００２２】
請求項１６に記載の発明は、請求項９乃至１５の何れかに記載の画像形成装置において、前記発光素子は有機ＥＬ素子であることを特徴とする。
【発明の効果】
【００２３】
本発明によれば、露光装置が複数の発光素子がライン状に配列された発光素子アレイを備え、発光素子アレイにおいて隣接して配列される発光素子が時間的に連続したタイミングで発光状態とされないようにして、熱発生源を空間的・時間的に分散させて、光源の発熱に伴う温度上昇を良好に抑制することができる露光装置及びそれを用いた画像形成装置を提供することができる。
【発明を実施するための最良の形態】
【００２４】
以下、図面を参照して、本発明の実施形態に係る露光装置及び画像形成装置を詳細に説明する。
【００２５】
＜第１の実施形態＞
図１は、本発明の第１の実施形態に係る露光ヘッドを用いた印刷装置（画像形成装置）の構成の一例を示す図である。すなわち、当該印刷装置は、感光体ドラム１と、ケース部２Ａとロッドレンズアレイ部２Ｂとを有する露光ヘッド（露光装置）２と、帯電ローラ３と、イレーサ光源感光体４と、クリーニング部材５と、現像ローラ６ａを含む現像器６と、転写ローラ８と、定着ローラ９と、搬送ベルト１１とを具備している。なお、参照符号７が付されているのは印刷用紙である。
【００２６】
感光体ドラム１は、例えば負帯電型ＯＰＣ（Ｏｒｇａｎｉｃ  Ｐｈｏｔｏ  Ｃｏｎｄｕｃｔｏｒ）感光体である。この場合、帯電ローラ３は負帯電器とされている。また、現像器６は負帯電トナーで現像を行う現像器である。また、露光ヘッド２におけるケース部２Ａ内には、詳しくは後述するが、例えば有機ＥＬ素子からなる複数の発光素子がアレイ状に配列された発光素子アレイ２０が内蔵されている。
【００２７】
ところで、図１に示す印刷装置では、おおまかには以下のような工程により印刷が行われる。まず、帯電ローラ３によって、感光体ドラム１が一様に帯電される。続いて、露光ヘッド２によって、感光体ドラム１に対して光照射が為され、感光体ドラム１上には静電潜像が形成される。その後、現像器６によって、静電潜像にトナーが付着される。そして、転写ローラ８によって、静電潜像に付着しているトナーが印刷用紙７に転写される。以下、このような印刷工程を詳細に説明する。
【００２８】
まず、感光体ドラム１は、帯電用電源（不図示）から供給されるマイナス高電圧を、帯電ローラ３によって印加される。これにより、感光体ドラム１における周表面は一様に負帯電され、電位的に初期化される（初期化帯電状態となる）。
【００２９】
そして、周表面が初期化帯電状態となった感光体ドラム１には、露光ヘッド２によって、印字情報に従った光書き込み（露光）が行われる。これにより、初期化帯電によるマイナス高電位部と、露光による例えば“−５０Ｖ”のマイナス低電位部とから成る静電潜像が、感光体ドラム１の周表面上に形成される。
【００３０】
ここで、現像器６内に収容されている弱いマイナス電位に帯電したトナーが、現像ローラ６ａによって、現像ローラ６ａと感光体ドラム１との対向部に回転搬送される。このとき、現像ローラ６ａは、不図示の電源から、例えば“−２５０Ｖ”の現像バイアスを印加される。この場合、“−２５０Ｖ”の現像バイアスを印加された現像ローラ６ａと、感光体ドラム１における静電潜像の“−５０Ｖ”のマイナス低電位部との間に、“−２００Ｖ”の電位差が形成される。
【００３１】
この電位差により、現像ローラ６ａに対して相対的にプラス極性の電位となった静電潜像におけるマイナス低電位部には、マイナス極性に帯電しているトナーが転移してトナー像が形成される。このトナー像は、感光体ドラム１の回転によって、感光体ドラム１と転写ローラ８とが対向している転写部へと搬送される。
【００３２】
なお、上述したようにして形成されたトナー像におけるトナー付着量（現像された画像の濃度）は、露光ヘッド２による感光体ドラム１への露光量に応じて生じる感光体ドラム１の周表面上における電位の減衰量によって決定される。
【００３３】
ところで、上述したようにトナー像が転写部へ搬送されると、搬送ベルト１１によって、印刷用紙７が転写部へ搬送される。そして、転写部においては、トナー像が印刷用紙７上に、転写ローラ８によって転写される。このようにしてトナー像を転写された印刷用紙７は更に下流に搬送され、トナー像が定着ローラ９によって熱定着された後、印刷用紙７は当該印刷装置の外部へ排出される。
【００３４】
露光ヘッド２におけるケース部２Ａ内には、図１に示す感光体ドラム１への露光走査の主走査方向（感光体ドラム１の幅方向、つまり印刷用紙７の幅方向）に、例えば有機ＥＬ素子による複数の発光素子が一列に配列された発光素子アレイ２０が内蔵されている。この発光素子アレイ２０は、当該印刷装置が、例えばＡ４サイズの印刷用紙を縦方向に用いてその幅一杯に印字密度１２００ｄｐｉ（ドット／インチ）で印字可能な印刷装置の場合であれば、およそ１４０００個の発光素子を備えている。これらの個々の発光素子には、ホスト機器（不図示）から出力される画像信号に従ったパルス電圧が印加される。すなわち、個々の発光素子は、画像信号に応じて選択的に発光制御されて、１ラインの印刷が行われ、これを連続的に行うことで所望のパターンの印刷が行われる。
【００３５】
次に、発光素子アレイ２０における主として発光に関わる発光素子部分（以降、有機ＥＬ発光部と称する）の基本的な構造について説明する。図２は、有機ＥＬ発光層の基本的な構造を示す図である。
【００３６】
有機ＥＬ発光部２０Ａは、図２に示すようにガラス基板２１上に形成される。具体的には、有機ＥＬ発光部２０Ａとして、基板２１上に、アノード電極（透明電極；ＩＴＯ）２３、正孔輸送層（ＨＴＬ）２４、発光層（ＥＬ）２５、電子輸送層（ＥＴＬ）２６、及びカソード電極（金属）２７がこの順にて形成される。また、カソード電極２７上に、更に、例えば保護用の封止ガラス２８（不図示）を設けるようにしてもよい。
【００３７】
そして、アノード電極２３とカソード電極２７との間に、所定の電圧が掛けられることで、アノード電極２３から正孔が、カソード電極２７から電子が、ＥＬ２５に注入され、ＥＬ２５にて正孔と電子とが再結合して発光する。この発光によって生じた光ｈν１００は、ＩＴＯであるアノード電極２３を通過してガラス基板２１の方向に拡散放射する。
【００３８】
発光素子アレイ２０における有機ＥＬ発光部（発光素子）２０Ａのガラス基板２１側から出射された光はロッドレンズアレイ部２Ｂによって集光され、該露光ヘッド２からミリオーダーの距離を隔てた感光体ドラム１上に小径の光スポットを形成し、各ドットを解像する光ビームを作る。以下、露光ヘッド２について、図３及び図４を参照して説明する。
【００３９】
図３は、本発明に係わる露光ヘッド２の外観を示す図である。ケース部２Ａ内には、感光体ドラム１への露光走査の主走査方向（感光体ドラム１の幅方向つまり印刷用紙７の幅方向）に、例えば有機ＥＬ素子による複数の発光素子（不図示）が一列に配設された、発光素子アレイ２０が内蔵されている。
【００４０】
ここで、当該印刷装置が、例えばＡ４サイズの印刷用紙を縦方向に用いてその幅一杯に印字密度１２００ｄｐｉ（ドット／インチ）で印字可能な印刷装置であれば、発光素子アレイ２０は、およそ１４０００個の発光素子を備えている。そして、これらの個々の発光素子は、後述するようにして、選択的に発光制御される。
【００４１】
なお、有機ＥＬ素子は、図３に示すように制御ケーブル３１Ａ，３１Ｂによって、ホスト機器（不図示）と電気的に接続されている。
【００４２】
次に、本発明の第１の実施形態に係る露光ヘッド２の構造の一例について説明する。図４は、本発明の第１の実施形態に係る露光ヘッドの側面断面図の一例を示す図である。
【００４３】
図４に示すように、複数の有機ＥＬ発光部（発光素子）２０Ａが形成された発光素子アレイ２０のガラス基板２１Ａが、例えば接着樹脂５２によって前面ケース５１に接着されている。さらに、前面ケース５１には、図４に示すように背面ケース５３が嵌め込まれている。
【００４４】
また、前面ケース５１における凸部７１には、有機ＥＬ発光部２０Ａからガラス基板２１側に出射された光が入射され、集光して感光体ドラム１に照射するためのロッドレンズ部２Ｂが嵌め込まれている。
【００４５】
ここで、ガラス基板２１Ａのうち接着樹脂５２が設けられている面の逆側の面であって、有機ＥＬ発光部２０Ａが設けられていない箇所には、図４に示すように有機ＥＬ発光部２０Ａを駆動する為のドライバーＩＣ５５が、アノード電極２３及びカソード電極２７に電気的に接続されて設けられている。より詳しくは、ドライバーＩＣ５５は、有機ＥＬ発光部２０Ａにおける封止ガラス２８の周囲に複数個設けられている。
【００４６】
そして、ドライバーＩＣ５５にはヘッドコントローラ（不図示）から同期信号、クロック信号、及び画像信号等が入力され、ドライバーＩＣ５５は、それらの各信号に基づいてアノード電極２３及びカソード電極２７の制御を行っている。
【００４７】
なお、本実施形態においては、ガラス基板２１Ａとヘッドコントローラ（不図示）との接続配線のケーブルに関し、図４に示すように背面ケース５３に中継コネクタ５９が設けられ、ケース部２Ａの内部と外部とで別ケーブルとして、組み立て時や交換時の作業性を向上させるとともに、力が加わったときの断線の発生を防ぐようにしている。
【００４８】
ところで、複数の有機ＥＬ発光部からなる発光素子アレイを光源とする露光ヘッドにおいて、発光素子アレイの各発光素子の駆動方式としては、連続的な点灯制御を行うことができるアクティブ駆動方式と、パルス状に点灯する点灯制御を行うように駆動されるパッシブ駆動方式とがある。本実施形態においては、パッシブ駆動方式を用いるものとする。
【００４９】
ここで、パッシブ駆動方式は、アクティブ駆動方式よりも発光素子駆動用のスイッチング素子を少なくすることができるので、当該露光ヘッドの装置規模縮小及び低コスト化等の面においては有利である。しかしながら、パッシブ駆動方式では、発光素子が選択状態とされた期間にのみ発光するため、発光素子の発光時間を長くすることができない。このため、アクティブ駆動方式の場合よりも一有機ＥＬ素子当たりの発光強度を大きくする必要がある。
【００５０】
ここで、有機ＥＬ素子における発光輝度は、有機ＥＬ素子における有機ＥＬ発光部２０Ａを挟み込む対向電極（アノード電極２３及びカソード電極２７）間の電流の大きさに比例する。したがって、有機ＥＬ素子による発光素子を光源とする露光ヘッドによって高速印刷に要する高い光量を得る為には、大きな電流を供給することが必要となる。そのような場合には、各発光素子において供給された電流によるジュール熱が発生する。そして、結果として発光素子自体の温度が上昇し、発光効率が低下する。また、この温度上昇によって発光素子の寿命が短くなるという問題も発生する。そこで、本実施形態は、各発光素子による熱の発生源を空間的・時間的に分散させて、温度上昇を抑えるようにした構成を備えるものである。
【００５１】
図５Ａは、発光素子（有機ＥＬ発光部２０Ａ）をパッシブ駆動方式によりマトリクス状に配列した場合の、パッシブマトリクスの概略構成を示す図であり、図５Ｂは、図５Ａに示すマトリクス配列を一列に並び替えた場合の、本実施形態における発光素子アレイ２０におけるドット配列の一例を示す図である。また、図５Ｃは、図５Ｂに示すドット配列に対応した配線構成を示す配線図である。
【００５２】
パッシブマトリクスは、図５Ａに示すように、横方向に配設されたＣｏｌｕｍｎ（列）電極であるｎ本（Ｃｏｌｕｍｎ−１〜Ｃｏｌｕｍｎ−ｎ）の信号電極（駆動信号線）８１と、縦方向に配設されたＲｏｗ（行）電極であるｍ本（Ｒｏｗ−１〜Ｒｏｗ−ｍ）の走査電極（選択信号線）８３との２つの電極によって、ｍ×ｎ個の発光素子（有機ＥＬ発光部２０Ａ）がマトリクス状に形成される。ここで、図５Ａにおいて、各発光素子に付されている数字１，２，・・・，ｍ×ｎはドットナンバーである。なお、カソード電極２７は信号電極８１に対応し、アノード電極２３は走査電極８３に対応する。したがって、有機ＥＬ発光部２０Ａにおける正孔輸送層（ＨＴＬ）２４、発光層（ＥＬ）２５、及び電子輸送層（ＥＴＬ）２６が、信号電極８１と走査電極８３との間に挟まれる構造となる。
【００５３】
そして、信号電極８１及び走査電極８３には、信号電極８１及び走査電極８３のそれぞれの電極端に接続されているＣｏｌｕｍｎドライバ及びＲｏｗドライバから、バイアス電圧が時系列的に印加される。そして、バイアス電圧が印加されることで選択された信号電極８１と、バイアス電圧が印加されることで選択された走査電極８３とが交差する場所の有機ＥＬ発光層２５に電圧がかかり（電流が流れて）、この有機ＥＬ発光部２０Ａが発光する。
【００５４】
ところで、本実施形態の露光ヘッド２における発光素子アレイ２０においては、複数の発光素子が、例えば１列に並べられている。これは、図５Ａに示したようなマトリクス状に並ぶ複数の発光素子のドット配列を、図５Ｂに示すように、１列に並び替えたものと考えることができる。なお、ここでは説明の便宜上、有機ＥＬ発光部２０Ａのドット配列を１列とした場合を例に説明するが、１列ではなく複数列に並べたものであってもよい。
【００５５】
図５Ｂに示すように、本実施形態においては、１本のＣｏｌｕｍｎ電極とｍ本のＲｏｗ電極に対応するｍ個の発光素子（例えば、Ｃｏｌｕｍｎ−１電極に対応するドットナンバー０，１，２，・・・，ｍの発光素子）を１つのグループとして、各Ｃｏｌｕｍｎ電極（Ｃｏｌｕｍｎ−１〜Ｃｏｌｕｍｎ−ｎ）の順に、一列に並べる。これによって、発光素子アレイ２０は、各発光素子が、ドットナンバー０，１，２，・・・，ｍ，ｍ＋１，・・・，ｍ×ｎの順に一列に並べられて構成される。そして、この場合の各発光素子とＣｏｌｕｍｎドライバ及びＲｏｗドライバとの配線構成は、図５Ｃに示す配線図のようになる。すなわち、図５Ｃに示すように、ドットナンバー１，２，３，４，・・・，ｍの発光素子は、Ｃｏｌｕｍｎ−１電極に共通に接続されるとともに、Ｒｏｗ−１〜Ｒｏｗ−ｍ電極に接続されて、Ｃｏｌｕｍｎ―１グループをなす。同様に、ドットナンバーｍ＋１，ｍ＋２，ｍ＋３，ｍ＋４，・・・，２ｍの発光素子は、Ｃｏｌｕｍｎ−２電極に共通に接続されるとともに、Ｒｏｗ−１〜Ｒｏｗ−ｍ電極に接続されて、Ｃｏｌｕｍｎ―２グループをなし、ドットナンバー（ｎ−１）×ｍ＋１，（ｎ−１）×ｍ＋２，（ｎ−１）×ｍ＋３，（ｎ−１）×ｍ＋４，・・・，ｎ×ｍの発光素子は、Ｃｏｌｕｍｎ−ｎ電極に共通に接続されるとともに、Ｒｏｗ−１〜Ｒｏｗ−ｍ電極に接続されて、Ｃｏｌｕｍｎ−ｎグループをなす。
【００５６】
次いで、本実施形態における発光素子アレイ２０の駆動方法について説明する。図６Ａは、発光素子アレイ２０における各発光素子の駆動方法の一例を示す図であり、図６Ｂは、本実施形態における発光素子アレイ２０の各発光素子の駆動方法の一例を示す図であり、図６Ｃは、本実施形態における発光素子アレイ２０の各発光素子の駆動方法の他の例を示す図である。
【００５７】
発光素子アレイ２０の駆動においては、図５Ｃに示す構成に基づいて、基本的には、１ライン露光期間の同期信号であるＨｓｙｎｃ信号に同期して、各Ｒｏｗ電極が順次選択状態にされて、各発光素子が適宜発光するように時分割駆動される。ここで、各Ｒｏｗ電極が、図５Ｃに示すＲｏｗ−１からＲｏｗ− ｍの配列順に順次選択状態にされ、且つ、各Ｃｏｌｕｍｎ電極からバイアス電圧が一斉に印加されるように駆動される場合、図６Ａに示すように、１ライン露光期間の間に、Ｒｏｗ−１電極が選択されたとき、ドットナンバー０，ｍ＋１，…，（ｎ−１）×ｍ＋１の発光素子が同時に発光するように駆動され、次いでＲｏｗ―１電極が選択状態とされたとき、ドットナンバー１，ｍ＋２，…，（ｎ−１）×ｍ＋２の発光素子が同時に発光するように駆動され、Ｒｏｗ−ｍ電極が選択されたとき、ドットナンバーｍ，２ｍ，…，ｎ×ｍの発光素子が同時に発光するように駆動される。
【００５８】
上記のように駆動した場合、隣接して配列された発光素子は同時には発光しないようにされることにより熱発生源の分散がある程度行われるが、十分ではない。すなわち、この駆動方法においては、隣接して配列された発光素子は時間的に連続したタイミングで発光するように時分割駆動される。発光素子が発光状態から非発光状態にされたとき、当該発光素子の温度は、直前に発光していたときの温度から急速には低下しないため、隣接して配列された発光素子が時間的に連続したタイミングで発光状態とされる場合、発光状態から非発光状態にされた発光素子の温度が十分下がりきらないうちに隣接する発光素子が発光して温度上昇が起こってしまう。この結果、発光素子アレイ２０の温度は、次第に上昇することになる。
【００５９】
これに対し本実施形態においては、各Ｒｏｗ電極を選択状態とする順番を、各Ｒｏｗ電極の配列順ではなく、１本以上のＲｏｗ電極置きに、例えばランダムな順序で選択状態とするように時分割駆動する。これによって、隣接して配列された発光素子が時間的に連続したタイミングで発光状態とされることがないように時分割駆動することを特徴とする。これにより、少なくとも隣接ずる発光素子は時間的に連続したタイミングでは発光状態とされないため、熱発生源の分散が促進され、発光状態から非発光状態にされた発光素子の温度が十分下がるようにされて、発光素子アレイ２０の温度上昇を抑えることができる。また、この場合、高濃度画素が連続した場合であっても、従来技術にあるように、発光時間や発光エネルギーを抑えるようなことは行っていないため、忠実な濃度再現を行うことができる。
【００６０】
すなわち、図６Ｂに示す駆動方法においては、各Ｒｏｗ電極を選択状態とする順番を、１本以上の任意の本数のＲｏｗ電極置きに、ランダムな順序とする（Ｒｏｗ電極のランダム駆動）ように構成される。
【００６１】
また、図６Ｃに示す駆動方法においては、各Ｒｏｗ電極を選択状態とする順番を、１本以上の一定の本数のＲｏｗ電極置きに、（図６Ｃでは２Ｒｏｗ電極間隔）選択状態とするように駆動する。これによっても、隣接した有機ＥＬ素子が同時に発光しないようにして、熱発生源の分散を促進させることができる。
【００６２】
次に、図６Ｂ、図６Ｃに示す、本実施形態における駆動を行う為の制御システムの一例を説明する。図７は、本実施形態における駆動を行う為の制御システムの構成の一例を示す構成図であり、図８は、本実施形態におけるヘッド駆動部の詳細な構成を示す図である。
【００６３】
本実施形態における制御システムは、例えばＣＰＵ１００と、ランダムパターン発生器１０２と、ライン同期制御部１０４と、画像処理制御回路１０８と、ヘッド駆動部１１０とを具備する。ここで、ヘッド駆動部１１０は、有機ＥＬ発光部２０Ａと、詳しくは後述する駆動回路１１２とを備える。
【００６４】
このような構成の制御システムにおいて、画像処理制御回路１０８は、ホスト機器（不図示）から入力された画像信号から画像データを生成して、ヘッド駆動部１１０へ出力し、また、該画像データからドット位置情報を検出して、ライン同期制御部１０４へ出力する。
【００６５】
ライン同期制御部１０４は、画像処理制御回路１０８から入力されたドット位置情報から、１ラインの先頭データ（１ラインにおける先頭ドットのデータ）を読み込み、１ライン露光期間の同期信号であるＨｓｙｎｃ信号を生成する。
【００６６】
一方、ＣＰＵ１００は、ランダムパターン発生器１０２が発生したランダムパターンを読み込み、このランダムパターンをライン同期制御部１０４へ出力する。
【００６７】
そして、ライン同期制御部１０４は、Ｈｓｙｎｃ信号に同期させながらランダムパターンに従って、Ｒｏｗ電極をランダムな順序で選択状態とするためのランダムアドレスを生成し、該ランダムアドレスをヘッド駆動部１１０へ出力する。また、ライン同期制御部１０４は、画像データに対応した正規アドレスも生成する。
【００６８】
さらに、ライン同期制御部１０４は、画像データに対応した正規アドレスも生成し、ヘッド駆動部１１０へ出力する。
【００６９】
なお、ランダムパターン発生器１０２を利用してＲｏｗ電極をランダムな順序で選択状態とする代わりに、Ｒｏｗ電極を駆動する順番を、一定間隔（例えば２Ｒｏｗ電極間隔）ごとに選択状態とする、固定パターンとしてもよい。
【００７０】
次に、ヘッド駆動部１１０の詳細な構成について、図８を参照して説明する。ヘッド駆動部１１０における駆動回路１１２は、図８に示すようにメモリ１１２Ａと、Ｒｏｗドライバ部１１２Ｂと、Ｃｏｌｕｍｎドライバ部１１２Ｃと、セレクタ１１２Ｄとから成る。
【００７１】
ここで、上述したようにライン同期制御部１０４からヘッド駆動部１１０に入力された正規アドレス及びランダムアドレスは、セレクタ１１２Ｄを介してメモリ１１２Ａに入力される。また、ランダムアドレスは、Ｒｏｗドライバ部１１２Ｂにも入力される。そして、画像処理制御回路１０８から入力された画像データは、メモリ１１２Ａに入力される。
【００７２】
Ｒｏｗドライバ部１１２Ｂは、デコーダ１１２Ｂ１と、Ｒｏｗ制御回路１１２Ｂ２と、Ｒｏｗドライバ１１２Ｂ３とを備える。そして、Ｒｏｗドライバ部１１２Ｂに入力されたランダムアドレスは、まずデコーダ１１２Ｂ１によって所定のデコード処理が施される。そして、ランダムアドレスに基づいて、Ｒｏｗ制御回路１１２Ｂ２の制御で、Ｒｏｗドライバ１１２Ｂ３によって有機ＥＬ発光部２０Ａにおける所定のＲｏｗ電極が選択状態とされる。
【００７３】
一方、画像データは、入力される正規アドレスに応じて、各Ｒｏｗ電極に対応した形でメモリ１１２Ａに一旦保持される。そして、メモリ１１２Ａに一旦保持された画像データは、メモリ１１２Ａに入力されるランダムアドレスに応じた順序で読み出され、Ｃｏｌｕｍｎドライバ部１１２Ｃに出力される。
【００７４】
Ｃｏｌｕｍｎドライバ部１１２Ｃは、データラッチ／シフトレジスタ１１２Ｃ１と、Ｃｏｌｕｍｎドライバ１１２Ｃ２とを備える。
【００７５】
そして、Ｃｏｌｕｍｎドライバ部１１２Ｃに入力された画像データは、データラッチ／シフトレジスタ１１２Ｃ１に一時格納された後、Ｃｏｌｕｍｎドライバ１１２Ｃ３に供給され、各Ｃｏｌｕｍｎ電極に、画像データに応じたバイアス電圧が一斉に印加される。そして、上述したようにして選択されたＲｏｗ電極と各Ｃｏｌｕｍｎ電極との交点に位置する発光素子（有機ＥＬ発光部２０Ａ）が駆動されて発光する。
【００７６】
＜第２の実施形態＞
以上、上記第１の実施形態においては、本発明における、隣接して配列された有機ＥＬ発光部が時間的に連続して発光しないようにして、熱発生源の分散を促進させる駆動方法をパッシブ駆動方式による発光素子アレイに適用した場合について説明したが、本発明における駆動方法の概念は、アクティブ駆動方式による発光素子アレイに対しても適用できるものである。以下に、本発明における駆動方法をアクティブ駆動方式による発光素子アレイに適用した、第２の実施形態について説明する。
【００７７】
アクティブ駆動方式においては、発光素子毎に複数個のトランジスタによって構成される画素駆動回路を備える。図９Ａは、画素駆動回路の代表的な構成を示す図であり、２個のトランジスタを用いる方式（以降、２Ｔｒ方式と称する）の場合を示す。また、図９Ｂは、図９Ａに示す画素駆動回路の駆動タイミングチャートを示す図である。
【００７８】
図９Ａに示す画素駆動回路は、ドレイン電極が電源電圧Ｖｓｏｕｒｃｅが印加される電源線ＶＬに接続され、ソース電極が発光素子（有機ＥＬ発光部２０Ａ）に接続されて、有機ＥＬ発光部２０Ａを駆動させる為のトランジスタである駆動トランジスタ（Ｄｒｉｖｉｎｇ−ＴＦＴ；以降、Ｄｒ−ＴＦＴと称する）１２１と、ゲート電極（制御端子）が選択電圧Ｖｓｅｌｅｃｔが印加される走査線（選択信号線）ＳＬに接続され、ドレイン電極が信号電圧Ｖｄａｔａが印加される信号線（駆動信号線）ＤＬに接続され、ソース電極がＤｒ−ＴＦＴ１２１のゲート電極（制御端子）に接続されて、発光素子の選択・非選択を切り替えるスイッチングを行う選択トランジスタ（Ｓｗｉｔｃｈ−ＴＦＴ；以降、Ｓｗ−ＴＦＴと称する）１２３と、Ｄｒ−ＴＦＴ１２１のゲート電極とドレイン電極間に接続され、データ保持を行う為の保持コンデンサ１２５とを備える。
【００７９】
本実施形態に係る露光装置においては、前記のような構成の画素駆動回路において、図９Ｂに示すタイミングチャートに基づいた駆動制御が行われる。すなわち、まず選択期間Ｔｓｅにおいて、走査線ＳＬによってＳｗ−ＴＦＴ１２３のゲート電極に選択信号としての選択電圧Ｖｓｅｌｅｃｔが印加されてＳｗ−ＴＦＴ１２３がＯＮとされるとともに、ハイレベルの電源電圧Ｖｓｏｕｒｃｅが電源線ＶＬに印加される。そして、信号線ＤＬに信号電圧Ｖｄａｔａが印加されてＤｒ−ＴＦＴ１２１がＯＮにされるとともに、信号電圧Ｖｄａｔａに対応する電圧が保持コンデンサ１２５に書き込まれ。
【００８０】
このとき、信号電圧Ｖｄａｔａの値に応じてＳｗ−ＴＦＴ１２３のゲート電圧Ｖｇｓ（Ｖｇｓ＝Ｖｄａｔａ−Ｖｓｏｕｒｃｅ）の値が定まり、Ｄｒ−ＴＦＴ１２１におけるソース・ドレイン間に流れる電流の値が定まる。そして、この電流が発光素子に供給されて、発光素子が発光する。次いで、非選択期間Ｔｎｓｅにおいては、一部の期間を除いて電源線ＶＬへのハイレベルの電源電圧Ｖｓｏｕｒｃｅの印加が継続されており、この期間においては、走査線ＳＬへの選択電圧Ｖｓｅｌｅｃｔの印加が終了してＳｗ−ＴＦＴ１２３はＯＦＦ状態とされるが、保持コンデンサ１２５に保持された電圧によって発光素子に供給される電流が維持されて、発光素子の発光が維持される。
【００８１】
次に、発光素子の総数を、前述の図５Ｃの場合と同様に、ｍ×ｎ個とした場合の駆動方法について説明する。図１０Ａは、本実施形態における、各画素駆動回路を駆動するためのドライバの接続構成を示す図であり、図１０Ｂは、本実施形態における、各画素駆動回路を駆動する信号の印加タイミングを示す図である。本実施形態においては、図１０Ａに示すように、各画素駆動回路を駆動する為のドライバとして、Ｖｄａｔａドライバ１３３、Ｖｓｅｌｅｃｔドライバ１３５、Ｖｓｏｕｒｃｅドライバ１３７を有する。ここで、Ｖｄａｔａドライバ１３３とは各ドットに信号電圧Ｖｄａｔａを印加する為のドライバであり、Ｖｓｅｌｅｃｔドライバ１３５とは各ドットに選択電圧Ｖｓｅｌｅｃｔを印加する為のドライバであり、Ｖｓｏｕｒｃｅドライバ１３７とは各ドットに電源電圧Ｖｓｏｕｒｃｅを印加する為のドライバである。
【００８２】
図１０Ａに示すように、本実施形態においてはｍ個の画素駆動回路単位で構成されるグループ１３１をｎ個有し、各グループ１３１には、それぞれＶｄａｔａドライバ１３３から対応する信号電圧Ｖｄａｔａ１〜ｎが印加され、各画素駆動回路の信号線ＤＬに共通に供給される。また、Ｖｓｅｌｅｃｔドライバ１３５から各グループ１３１のｍ個の画素駆動回路の各々の走査線ＳＬに、選択電圧Ｖｓｅｌｅｃｔ１〜ｍが印加され、Ｖｓｏｕｒｃｅドライバ１３７から各グループ１３１のｍ個の画素駆動回路の各々の電圧線ＶＬに、電源電圧Ｖｓｏｕｒｃｅ１〜ｍが印加され、信号電圧Ｖｄａｔａ１〜ｎ、選択電圧Ｖｓｅｌｅｃｔ１〜ｍ、電源電圧Ｖｓｏｕｒｃｅ１〜ｍが所定のタイミングで印加されることにより、各ループ１３１のｍ個の画素駆動回路が並行して駆動される。
【００８３】
すなわち、同期信号であるＨｓｙｎｃ信号に同期して、各グループに対応する選択電圧Ｖｓｅｌｅｃｔ及びソース電圧Ｖｓｏｕｒｃｅは、それぞれＶｓｅｌｅｃｔドライバ１３５、Ｖｓｏｕｒｃｅドライバ１３７によって、各グループのｍ個の画素駆動回路に対して０、１、〜、ｍと順次アクティブにされ、且つ信号電圧Ｖｄａｔａ１〜ＶｄａｔａｎがＶｄａｔａドライバ１３３によって各グループに印加されてデータが書き込まれることによって、各ドットに対応する有機ＥＬ発光層の制御が為される。
【００８４】
図１０Ｂは、Ｈｓｙｎｃ信号に同期した選択電圧Ｖｓｅｌｅｃｔ及びソース電圧Ｖｓｏｕｒｃｅの印加タイミングを示すタイミングチャートである。このアクティブマトリクス方式の場合も、前述の図６Ｂ、図６Ｃのパッシブマトリクス方式の場合と同様に、選択電圧Ｖｓｅｌｅｃｔ及びソース電圧Ｖｓｏｕｒｃｅの駆動順を連続しないランダムな順番にする、あるいは、所定間隔毎にする。つまり、アクティブマトリクス方式においてランダム駆動を行う為には、前述のパッシブマトリクス方式におけるＣｏｌｕｍｎデータを信号電圧Ｖｄａｔａに、Ｒｏｗデータを選択電圧Ｖｓｅｌｅｃｔ及びソース電圧Ｖｓｏｕｒｃｅデータに置き換える。これにより、図６Ｂ、図６Ｃの場合と同様に、熱発生源を空間的・時間的に分散させることができる。
【００８５】
以上説明したように、本実施形態によれば、光源の発熱に伴う温度上昇を効率的に抑制することができる露光装置及び印刷装置を提供することができる。
【００８６】
以上、一実施形態に基づいて本発明を説明したが、本発明は上述した実施形態に限定されるものではなく、本発明の要旨の範囲内で種々の変形及び応用が可能なことは勿論である。
【００８７】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００８８】
【図１】本発明の第１の実施形態に係る露光ヘッドを用いた印刷装置の構成の一例を示す図。
【図２】有機ＥＬ発光層の基本的な構造を示す図。
【図３】本発明の第１の実施形態に係る露光ヘッドの外観を示す図。
【図４】本発明の第１の実施形態に係る露光ヘッドの側面断面図の一例を示す図。
【図５Ａ】発光素子をパッシブ駆動方式によりマトリクス状に配列した場合の、パッシブマトリクスの概略構造を示す図。
【図５Ｂ】図５Ａに示すマトリクスを一列に並び替えた場合の、本実施形態における発光素子アレイにおけるドット配列の一例を示す図。
【図５Ｃ】図５Ｂに示すドット配列に対応した配線構成を示す配線図である。
【図６Ａ】発光素子アレイにおける各発光素子の駆動方法の一例を示す図。
【図６Ｂ】本発明の第１の実施形態における発光素子アレイの各発光素子の駆動方法の一例を示す図。
【図６Ｃ】本発明の第１の実施形態における発光素子アレイの各発光素子の駆動方法の他の例を示す図。
【図７】本発明の第１の実施形態における駆動を行う為の制御システムの構成の一例を示す図。
【図８】本発明の第１の実施形態におけるヘッド駆動部の詳細な構成を示す図。
【図９Ａ】画素駆動回路の代表的な構成を示す図。
【図９Ｂ】図９Ａに示す画素駆動回路の駆動タイミングチャートを示す図。
【図１０Ａ】本発明の第２の実施形態における、各画素駆動回路を駆動する為のドライバの接続構成を示す図。
【図１０Ｂ】本発明の第２の実施形態における、各画素駆動回路を駆動する信号の印加タイミングを示す図。
【符号の説明】
【００８９】
１…感光体ドラム、  ２…露光ヘッド、  ３…帯電ローラ、  ４…イレーサ光源感光体、  ５…クリーニング部材、  ６…現像器、  ６ａ…現像ローラ、  ７…印刷用紙、  ８…転写ローラ、  ９…定着ローラ、  １１…搬送ベルト、  ２０Ａ…有機ＥＬ発光層、  ２１…基板、  ２１Ａ…ガラス基板、  ２２…反射層、  ２３…アノード電極、  ２４…正孔輸送層、  ２５…発光層、  ２６…電子輸送層、  ２７…カソード電極、  ２８…封止ガラス、  ３１Ａ，３１Ｂ…制御ケーブル、  ５１…前面ケース、  ５２…接着樹脂、  ５３…背面ケース、  ５５…ドライバーＩＣ、  ５９…中継コネクタ、  ７１…凸部、  ７３…密閉空間、  ８１…信号電極、  ８３…走査電極、  １００…ＣＰＵ、  １０２…ランダムパターン発生器、  １０４…ライン同期制御部、  １０６…ドット位置情報、  １０８…画像処理制御回路、  １１０…ヘッド駆動部、  １１２…駆動回路、  １１２Ａ…メモリ、  １１２Ｂ…Ｒｏｗドライバ部、  １１２Ｃ…Ｃｏｌｕｍｎドライバ部、  １１２Ｄ…セレクタ、  １１２Ｂ１…デコーダ、  １１２Ｂ２…Ｒｏｗ制御回路、  １１２Ｂ３…ドライバ、  １１２Ｃ１…シフトレジスタ、  １１２Ｃ２…Ｃｏｌｕｍｎ制御回路、  １１２Ｃ３…Ｃｏｌｕｍｎドライバ、  １２１…Ｄｒ−ＴＦＴ、  １２３…Ｓｗ−ＴＦＴ、  １２５…キャパシタ、  １３１…グループ、  １３３…Ｖｄａｔａドライバ、  １３５…Ｖｓｅｌｅｃｔドライバ、  １３７…Ｖｓｏｕｒｃｅドライバ。
【図１】
2008185732.tif 000003
【図２】
2008185732.tif 000004
【図３】
2008185732.tif 000005
【図４】
2008185732.tif 000006
【図５Ａ】
2008185732.tif 000007
【図５Ｂ】
2008185732.tif 000008
【図５Ｃ】
2008185732.tif 000009
【図６Ａ】
2008185732.tif 000010
【図６Ｂ】
2008185732.tif 000011
【図６Ｃ】
2008185732.tif 000012
【図７】
2008185732.tif 000013
【図８】
2008185732.tif 000014
【図９Ａ】
2008185732.tif 000015
【図９Ｂ】
2008185732.tif 000016
【図１０Ａ】
2008185732.tif 000017
【図１０Ｂ】
2008185732.tif 000018